(57)【特許請求の範囲】
【請求項１】
処方箋に記載されたコンタクトレンズのパラメータ情報である第１パラメータ情報を入力する入力部と、
最新のコンタクトレンズのパラメータ情報である第２パラメータ情報を取得する取得部と、
前記第２パラメータ情報の中に、過去から現在までに購入した前記コンタクトレンズの前記第１パラメータ情報であって前記入力部に入力された前記第１パラメータ情報に一致するものが有る場合、前記一致する前記第１パラメータ情報を所定パラメータ情報として抽出する抽出部と、
前記所定パラメータ情報に対応する所定コンタクトレンズに関する情報を表示する表示部と、
前記所定コンタクトレンズの中からユーザが選択した選択コンタクトレンズに関する情報と、前記選択コンタクトレンズの購入希望日と、を前記選択コンタクトレンズを取り扱う店舗に通知する通知部と、
を備える端末装置。
【請求項２】
前記コンタクトレンズの購入履歴情報は、ユーザ名、購入日時、購入価格、購入店舗に関する情報、購入した前記コンタクトレンズの種類及び前記コンタクトレンズの型番のうち少なくとも１つを含み、
前記購入履歴情報は、過去から現在までに購入した前記コンタクトレンズの前記第１パラメータ情報をさらに含む、
請求項１に記載の端末装置。
【請求項３】
前記第１パラメータ情報及び前記第２パラメータ情報のうち少なくともいずれかの情報を保存する保存部をさらに備え、
前記保存部は、前記購入履歴情報を保存する、
請求項２に記載の端末装置。
【請求項４】
前記コンタクトレンズの前記第１パラメータ情報は、ＱＲコード、カメラ、又は手動操作により入力される、
請求項１から３のいずれか１つに記載の端末装置。
【請求項５】
前記所定コンタクトレンズは、最も売れている前記コンタクトレンズ、同一のグレードの前記コンタクトレンズであって製造メーカが異なる前記コンタクトレンズ、販売価格が第１所定金額以下の前記コンタクトレンズ、前記販売価格が第２所定金額よりも高い前記コンタクトレンズ、及び、度数が異なる前記コンタクトレンズのうち少なくとも１つに基づいて抽出される、
請求項１から４のいずれか１つに記載の端末装置。
【請求項６】
前記所定コンタクトレンズに関する情報は、前記所定コンタクトレンズの前記販売価格を含む、
請求項５に記載の端末装置。
【請求項７】
前記取得部は、前記ユーザがサンプルとして装着したいと選択した前記選択コンタクトレンズのパラメータ情報である第３パラメータ情報を取得し、
前記抽出部は、前記第２パラメータ情報の中に前記第３パラメータ情報に一致するものが有る場合、前記一致する前記第３パラメータ情報を前記所定パラメータ情報として抽出する、
請求項１から６のいずれか１つに記載の端末装置。
【請求項８】
端末装置と、サーバと、店舗と、を備え、
前記端末装置は、
処方箋に記載されたコンタクトレンズのパラメータ情報である第１パラメータ情報を入力する入力部と、
最新のコンタクトレンズのパラメータ情報である第２パラメータ情報を前記サーバから取得する取得部と、
前記第２パラメータ情報の中に、過去から現在までに購入した前記コンタクトレンズの前記第１パラメータ情報であって前記入力部に入力された前記第１パラメータ情報に一致するものが有る場合、前記一致する前記第１パラメータ情報を所定パラメータ情報として抽出する抽出部と、
前記所定パラメータ情報に対応する所定コンタクトレンズに関する情報を表示する表示部と、
前記所定コンタクトレンズの中からユーザが選択した選択コンタクトレンズに関する情報と、前記選択コンタクトレンズの購入希望日と、を前記選択コンタクトレンズを取り扱う前記店舗に通知する通知部と、を有し、
前記サーバは、
前記第２パラメータ情報を前記端末装置に通知するサーバ通知部を有し、
前記店舗は、前記選択コンタクトレンズに関する情報と、前記選択コンタクトレンズの購入希望日と、を前記端末装置から取得する店舗取得部を有し、
前記店舗は、前記購入希望日までに前記ユーザが選択した前記選択コンタクトレンズを取得する、
システム。
【請求項９】
処方箋に記載されたコンタクトレンズのパラメータ情報である第１パラメータ情報を入力することと、
最新のコンタクトレンズのパラメータ情報である第２パラメータ情報を取得することと、
前記第２パラメータ情報の中に、過去から現在までに購入した前記コンタクトレンズの前記第１パラメータ情報であって前記入力された前記第１パラメータ情報に一致するものが有る場合、前記一致する前記第１パラメータ情報を所定パラメータ情報として抽出することと、
前記所定パラメータ情報に対応する所定コンタクトレンズに関する情報を表示することと、
前記所定コンタクトレンズの中からユーザが選択した選択コンタクトレンズに関する情報と、前記選択コンタクトレンズの購入希望日と、を前記選択コンタクトレンズを取り扱う店舗に通知することと、
を備える端末装置の方法。
【請求項１０】
処方箋に記載されたコンタクトレンズのパラメータ情報である第１パラメータ情報を入力することと、
最新のコンタクトレンズのパラメータ情報である第２パラメータ情報を取得することと、
前記第２パラメータ情報の中に、過去から現在までに購入した前記コンタクトレンズの前記第１パラメータ情報であって前記入力された前記第１パラメータ情報に一致するものが有る場合、前記一致する前記第１パラメータ情報を所定パラメータ情報として抽出することと、
前記所定パラメータ情報に対応する所定コンタクトレンズに関する情報を表示することと、
前記所定コンタクトレンズの中からユーザが選択した選択コンタクトレンズに関する情報と、前記選択コンタクトレンズの購入希望日と、を前記選択コンタクトレンズを取り扱う店舗に通知することと、
をコンピュータに実行させるプログラム。
【発明の詳細な説明】
【技術分野】
【０００１】
本開示は、端末装置、システム、方法、及びプログラムに関し、特に、ユーザがコンタクトレンズを容易に購入することが可能な端末装置、システム、方法、及びプログラムに関する。
【背景技術】
【０００２】
コンタクトレンズは「医薬品」ではなく「高度管理医療機器」である。このため、ユーザがコンタクトレンズを購入する場合、処方箋の提出は必要無い。しかしながら、購入する際のトラブルを防止するため、販売者（店舗）がユーザに処方箋の提出を要求する場合がある。この場合、ユーザは、処方箋を店舗へ提出しコンタクトレンズを購入する。ユーザがその後、コンタクトレンズを再び購入する際には、処方箋は以前に購入した店舗にしか残っていない。よって、ユーザは、コンタクトレンズを以前に購入した店舗で購入するか、又は、別の店舗で購入する場合には、眼科医の診察を再び受けて取得した処方箋を当該別の店舗に提出する必要があった。このように、ユーザのコンタクトレンズを購入する際の利便性が損なわれていた。すなわち、ユーザがコンタクトレンズを容易に購入することが難しい場合があった。
【０００３】
特許文献１の００２２段落には、患者がインターネットを介して処方箋を入手する場合、カードＲ／Ｗや子カードのリーダなどでＩＣカードのＩＤを読み取り、別途に患者の端末に入力したパスワードなどの本人認証データと共に、インターネットを介して、端末へ送信する。端末は受信したＩＤと本人認証データを電子カルテでチェックし、該当する患者への処方箋に電子署名を付与して、患者の端末へ転送する。患者は入手した処方箋を販売業者の端末へ転送することが開示されている。特許文献１には、最新のコンタクトレンズのパラメータ情報である第２パラメータ情報の中から、コンタクトレンズの購入履歴情報に一致する所定パラメータ情報を抽出し、所定パラメータ情報に対応する所定コンタクトレンズの中からユーザが選択した選択コンタクトレンズに関する情報と、選択コンタクトレンズの購入希望日と、をコンタクトレンズを取り扱う店舗に通知することは開示されていない。
【０００４】
特許文献２の００４５段落には、最新の診察情報と希望情報に基づいて、今回の交換に対応可能なコンタクトレンズ提供店と交換可能なメーカ別のコンタクトレンズ製品情報をユーザ端末上に提示することが開示されている。特許文献２には、最新のコンタクトレンズのパラメータ情報である第２パラメータ情報の中から、コンタクトレンズの購入履歴情報に一致する所定パラメータ情報を抽出し、所定パラメータ情報に対応する所定コンタクトレンズの中からユーザが選択した選択コンタクトレンズに関する情報と、選択コンタクトレンズの購入希望日と、をコンタクトレンズを取り扱う店舗に通知することは開示されていない。
【先行技術文献】
【特許文献】
【０００５】
【特許文献１】特開２００４−７８６７５号公報
【特許文献２】特開２０１２−２２６６８６号公報
【発明の概要】
【発明が解決しようとする課題】
【０００６】
上記のとおり、ユーザがコンタクトレンズを容易に購入することが難しいという課題があった。
【０００７】
本開示の目的は、上述した課題を解決する端末装置、システム、方法、及びプログラムを提供することにある。
【課題を解決するための手段】
【０００８】
本開示に係る端末装置は、
処方箋に記載されたコンタクトレンズのパラメータ情報である第１パラメータ情報を入力する入力部と、
最新の前記コンタクトレンズのパラメータ情報である第２パラメータ情報を取得する取得部と、
前記第２パラメータ情報の中から、前記第１パラメータ情報を含む前記コンタクトレンズの購入履歴情報に一致する所定パラメータ情報を抽出する抽出部と、
前記所定パラメータ情報に対応する所定コンタクトレンズに関する情報を表示する表示部と、
前記所定コンタクトレンズの中からユーザが選択した選択コンタクトレンズに関する情報と、前記選択コンタクトレンズの購入希望日と、を前記コンタクトレンズを取り扱う店舗に通知する通知部と、
を備える。
【０００９】
本開示に係るシステムは、
端末装置と、サーバと、店舗と、を備え、
前記端末装置は、
処方箋に記載されたコンタクトレンズのパラメータ情報である第１パラメータ情報を入力する入力部と、
最新の前記コンタクトレンズのパラメータ情報である第２パラメータ情報を前記サーバから取得する取得部と、
前記第２パラメータ情報の中から、前記第１パラメータ情報を含む前記コンタクトレンズの購入履歴情報に一致する所定パラメータ情報を抽出する抽出部と、
前記所定パラメータ情報に対応する所定コンタクトレンズに関する情報を表示する表示部と、
前記所定コンタクトレンズの中からユーザが選択した選択コンタクトレンズに関する情報と、前記選択コンタクトレンズの購入希望日と、を前記コンタクトレンズを取り扱う前記店舗に通知する通知部と、を有し、
前記サーバは、
前記第２パラメータ情報を前記端末装置に通知するサーバ通知部を有し、
前記店舗は、前記選択コンタクトレンズに関する情報と、前記選択コンタクトレンズの購入希望日と、を前記端末装置から取得する店舗取得部を有し、
前記店舗は、前記購入希望日までに前記ユーザが選択した前記選択コンタクトレンズを取得する。
【００１０】
本開示に係る方法は、
処方箋に記載されたコンタクトレンズのパラメータ情報である第１パラメータ情報を入力することと、
最新の前記コンタクトレンズのパラメータ情報である第２パラメータ情報を取得することと、
前記第２パラメータ情報の中から、前記第１パラメータ情報を含む前記コンタクトレンズの購入履歴情報に一致する所定パラメータ情報を抽出することと、
前記所定パラメータ情報に対応する所定コンタクトレンズに関する情報を表示することと、
前記所定コンタクトレンズの中からユーザが選択した選択コンタクトレンズに関する情報と、前記選択コンタクトレンズの購入希望日と、を前記コンタクトレンズを取り扱う店舗に通知することと、
を備える。
【００１１】
本開示に係るプログラムは、
処方箋に記載されたコンタクトレンズのパラメータ情報である第１パラメータ情報を入力することと、
最新の前記コンタクトレンズのパラメータ情報である第２パラメータ情報を取得することと、
前記第２パラメータ情報の中から、前記第１パラメータ情報を含む前記コンタクトレンズの購入履歴情報に一致する所定パラメータ情報を抽出することと、
前記所定パラメータ情報に対応する所定コンタクトレンズに関する情報を表示することと、
前記所定コンタクトレンズの中からユーザが選択した選択コンタクトレンズに関する情報と、前記選択コンタクトレンズの購入希望日と、を前記コンタクトレンズを取り扱う店舗に通知することと、
をコンピュータに実行させる。
【発明の効果】
【００１２】
本開示によれば、ユーザがコンタクトレンズを容易に購入することが可能な端末装置、システム、方法、及びプログラムを提供することができる。
【図面の簡単な説明】
【００１３】
【図１】実施の形態に係る端末装置を例示するブロック図である。
【図２】実施の形態に係るシステムを例示するブロック図である。
【発明を実施するための形態】
【００１４】
以下、図面を参照して本発明の実施の形態について説明する。各図面において、同一又は対応する要素には同一の符号が付されており、説明の明確化のため、必要に応じて重複説明を省略する。
【００１５】
［実施の形態］
実施の形態に係る端末装置を説明する。
図１は、実施の形態に係る端末装置を例示するブロック図である。
図２は、実施の形態に係るシステムを例示するブロック図である。
【００１６】
図１に示すように、実施の形態に係る端末装置１１は、入力部１１１と取得部１１２と抽出部１１３と表示部１１４と通知部１１５とを備える。端末装置１１は、例えば、スマートフォンである。
【００１７】
ユーザは、処方箋に記載されたコンタクトレンズのパラメータ情報である第１パラメータ情報を、端末装置１１の入力部１１１に入力する。具体的には、ユーザは、眼科医の診察を受けた後、スマートフォンが有するアプリケーションを起動し、アプリケーションを使用して、処方箋に記載されたコンタクトレンズのパラメータ情報（コンタクトレンズの処方箋）を入力し、端末装置１１に保存（登録）する。尚、スマートフォンが有するアプリケーションを、スマートフォンアプリと称する。また、コンタクトレンズの第１パラメータ情報とは、コンタクトレンズの処方箋の内容である。
【００１８】
コンタクトレンズの第１パラメータ情報は、ＱＲコード（登録商標）、カメラ、又はユ−ザの手動操作により入力される。
【００１９】
図２に示すように、処方箋に記載されたコンタクトレンズの第１パラメータ情報は、例えば、ＱＲコードで示される場合がある。この場合、コンタクトレンズの第１パラメータ情報は、ＱＲコードを読み取ることにより、端末装置１１に入力される。また、処方箋に記載されたコンタクトレンズの第１パラメータ情報は、カメラを使用してその情報を写真として取り込むことにより、端末装置１１に入力されてもよい。また、処方箋に記載されたコンタクトレンズの第１パラメータ情報は、ユーザの手動操作により、端末装置１１に入力されてもよい。
【００２０】
端末装置１１は、保存部（図示せず）をさらに備える。第１パラメータ情報は、例えば、スマートフォンアプリによってスマートフォン（端末装置１１）の保存部に保存される。また、保存部は、購入履歴情報も保存する。
【００２１】
購入履歴情報は、ユーザ名（購入者名）、購入日時、購入価格（例えば、定価や販売価格）、購入店舗に関する情報（例えば、店舗名や店舗場所）、購入したコンタクトレンズの種類及びコンタクトレンズの型番のうち少なくとも１つを含む情報である。
【００２２】
取得部１１２は、最新のコンタクトレンズのパラメータ情報である第２パラメータ情報を、例えば、常に最新のコンタクトレンズに関する情報を有するサーバ１２から取得する。具体的には、端末装置１１のスマートフォンアプリは、スマートフォン（端末装置１１）内に常に購入可能なコンタクトレンズの最新情報を取得しこれを更新する。
【００２３】
第１パラメータ情報及び第２パラメータ情報のうち少なくともいずれかの情報は、例えば、スマートフォンアプリによってスマートフォン（端末装置１１）の保存部に保存される。
【００２４】
抽出部１１３は、サーバ１２から取得した第２パラメータ情報の中から、ユーザのコンタクトレンズの購入履歴情報に一致する所定パラメータ情報を抽出する。尚、ユーザのコンタクトレンズの購入履歴情報は、ユーザが眼科医の診察を受けた際に取得した処方箋に記載されたコンタクトレンズのパラメータ情報である第１パラメータ情報を含む。
【００２５】
表示部１１４は、抽出部１１３が抽出した所定パラメータ情報に対応する所定コンタクトレンズに関する情報を表示する。
【００２６】
具体的には、端末装置１１のスマートフォンアプリを使用して、保存部に保存した処方箋のコンタクトレンズのパラメータ情報（第１パラメータ情報）及び購入履歴情報に基づいて、コンタクトレンズの候補（所定コンタクトレンズ）に関する情報を表示部１１４に表示する。
【００２７】
所定コンタクトレンズは、最も売れているコンタクトレンズ、同一のグレードのコンタクトレンズであって製造メーカが異なるコンタクトレンズ、販売価格が第１所定金額以下のコンタクトレンズ、販売価格が第２所定金額よりも高いコンタクトレンズ、及び、度数が異なるコンタクトレンズのうち少なくとも１つに基づいて抽出されてもよい。
【００２８】
尚、所定コンタクトレンズに関する情報は、所定コンタクトレンズの販売価格を含んでもよい。
【００２９】
ユーザは、コンタクトレンズの製造メーカを指定することにより、抽出される所定コンタクトレンズの絞込を行ってもよい。
【００３０】
ユーザは、表示部１１４が表示する内容（所定コンタクトレンズに関する情報）に基づいてコンタクトレンズを選択する。選択後、さらに店舗１３への購入希望日（来店希望日）をユーザに入力させる。
【００３１】
具体的には、ユーザは、端末装置１１のスマートフォンアプリを使用して、コンタクトレンズの候補（所定コンタクトレンズ）の中から、サンプルとして装着したいコンタクトレンズを選択する。また、ユーザは、購入希望日（来店希望日）を選択する。
【００３２】
取得部１１２は、ユーザがサンプルとして装着したいと選択した選択コンタクトレンズのパラメータ情報である第３パラメータ情報をサーバ１２から改めて取得してもよい。
【００３３】
尚、購入希望日は、選択されたコンタクトレンズが店舗１３の在庫に無かった場合に製造メーカから取り寄せ可能な最短日を考慮したものとする。
【００３４】
通知部１１５は、所定コンタクトレンズの中からユーザが選択した選択コンタクトレンズに関する情報と、ユーザが選択した選択コンタクトレンズの購入希望日と、をコンタクトレンズを取り扱う店舗１３に通知する。
【００３５】
店舗１３は、端末装置１１の通知部１１５又はスマートフォンアプリから情報を取得し、購入希望日（来店希望日）までに、ユーザが選択したコンタクトレンズのサンプルを用意しておく。尚、ユーザを顧客又は購入者と称することもある。
【００３６】
実施の形態に係るシステムを説明する。
図２に示すように、システム１０は、端末装置１１とサーバ１２と店舗１３とを備える。端末装置１１は、図１を使用して既に説明したのでここでは説明を省略する。
【００３７】
サーバ１２は、最新のコンタクトレンズのパラメータ情報である第２パラメータ情報を端末装置１１に通知するサーバ通知部１２１を有する。
【００３８】
店舗１３は、ユーザが選択した選択コンタクトレンズに関する情報と、選択コンタクトレンズの購入希望日と、を端末装置１１から取得する店舗取得部１３１を有する。店舗１３は、購入希望日までにユーザが選択した選択コンタクトレンズを取得して用意しておく。
【００３９】
ユーザは、店舗１３の来店時、選択した選択コンタクトレンズを装着し、その場で選択コンタクトレンズを購入することができる。尚、ユーザが選択コンタクトレンズを購入した場合、購入履歴情報が端末装置１１（スマートフォン）に保存され、次回購入時の参考となる。
【００４０】
また、ユーザは、事前にコンタクトレンズを選択するので、前回の購入時とはメーカやグレードが異なるコンタクトレンズを実際に店舗１３で装着してから購入することができる。これにより、選択（注文）したコンタクトレンズの度数違い、又はコンタクトレンズ装着時の違和感等の理由で返品や交換となるリスクを低減することができる。
【００４１】
また、ユーザは、事前に購入するコンタクトレンズを選択しているので、店舗１３へ何度も足を運ぶ必要が無く、事前に選択しない場合と比べて利便性が向上する。
【００４２】
実施の形態に係る端末装置１１は、ユーザが選択した選択コンタクトレンズに関する情報と、選択コンタクトレンズの購入希望日と、をコンタクトレンズを取り扱う店舗１３に通知する。
【００４３】
これにより、ユーザは、実際に購入する予定の選択コンタクトレンズが店舗１３に有ることを前提に来店することができるので、何度も店舗１３に来店する必要が無くなる。そしてユーザは、来店時に自身が選択した選択コンタクトレンズを購入することができ、利便性が向上する。
【００４４】
その結果、実施の形態によれば、ユーザがコンタクトレンズを容易に購入することが可能な端末装置、システム、方法、及びプログラムを提供することができる。
【００４５】
コンタクトレンズは多種多様な種類が存在し、１つの店舗が全ての種類の在庫を持つことは、店舗スペースの観点から難しい。ユーザに適したコンタクトレンズが店舗に在庫として存在しなかった場合、ユーザから注文を受け、ユーザ宅へ発送する、又は、店舗での引き取りとなる。このような場合、ユーザがコンタクトレンズを受け取るまで数日間待たされることになり、ユーザがコンタクトレンズの購入を諦めてしまい、これは、販売機会の損失となっていた。
【００４６】
実施の形態に係る端末装置１１は、ユーザが選択した選択コンタクトレンズに関する情報と、選択コンタクトレンズの購入希望日と、をコンタクトレンズを取り扱う店舗１３に通知する。そして、店舗１３は、購入希望日までにユーザが選択した選択コンタクトレンズを取得し用意しておく。これにより、実施の形態によれば、販売機会の損失を低減することができる。
【００４７】
尚、実施の形態について、コンタクトレンズの購入を例に挙げて説明したが、これには限定されない。実施の形態は、コンタクトレンズの購入以外、例えば、商品の種類が多く商品在庫を店舗に置いておくのが難しいものを購入する場合にも適用できる。
【００４８】
ここで、実施の形態の特徴を以下に示す。
実施の形態の特徴は、
コンタクトレンズの購入履歴情報と、コンタクトレンズのパラメータ情報等を含む処方箋情報とを、ユーザが端末装置１１に保存（登録）し、
ユーザが購入する際に、ユーザにコンタクトレンズの候補（所定コンタクトレンズ）の中からコンタクトレンズを選択させ、
ユーザの購入希望日（来店希望日）と、購入希望のコンタクトレンズの種類とを、店舗１３が在庫として事前に用意するために店舗１３に事前に通知する、
システムである。
【００４９】
尚、上記の実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【００５０】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(tangible storage medium)を含む。非一時的なコンピュータ可読媒体の例は、磁気記録媒体（具体的にはフレキシブルディスク、磁気テープ、ハードディスクドライブ）、光磁気記録媒体（具体的には光磁気ディスク）、ＣＤ−ＲＯＭ（Read Only Memory）、ＣＤ−Ｒ、ＣＤ−Ｒ／Ｗ、半導体メモリ（具体的には、マスクＲＯＭ、ＰＲＯＭ（Programmable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５１】
なお、本発明は上記実施の形態に限られたものではなく、趣旨を逸脱しない範囲で適宜変更することが可能である。
【符号の説明】
【００５２】
１０…システム
１１…端末装置
１１１…入力部
１１２…取得部
１１３…抽出部
１１４…表示部
１１５…通知部
１２…サーバ
１２１…サーバ通知部
１３…店舗
１３１…店舗取得部
【図１】
0006973862.tif 000002
【図２】
0006973862.tif 000003